(57)【要約】【課題】やむを得ず排泄口（ストーマ）を腹部に設けた人が排泄物収容袋（パウチ）を取り付ける際、連結口を排泄口に合った形に裁断する際に使用するパウチ用連結口調整具を提供する。【解決手段】上端部に蓋受ねじ３を設け、下端部寄りに切込み２を設けたシリンダ１の上部に前記蓋受ねじ３に螺合する雌ねじ１５を設けた蓋１４を螺着し、中心軸７を上部に設け、下端部に刃６を設けた上部有底円筒状の切断具５をシリンダ１及び蓋１４の軸挿通孔１６に軸７を上にして嵌挿し、中心軸７の上端部に設けられたねじ受孔８にビス１７でバネ受１６を、コイルバネ１３を介在させて固定し、前記切断具５の底部に刃調整具９を嵌着したことを特徴とする。【選択図】          図１
2004209012.tif 000002
【特許請求の範囲】
【請求項１】
上端部に蓋受ねじを設け、下端部寄りに切込みを設けたシリンダの上部に前記蓋受ねじに螺合する雌ねじを設けた蓋を螺着し、中心軸を上部に設け下端部に刃を設けた上部有底円筒状の切断具をシリンダ及び蓋の軸挿通孔に軸を上にして嵌着し、中心軸の上端部に設けられたねじ受孔にビスでバネ受を固定し、前記切断具の底部に刃調整具を嵌着したことを特徴とするパウチ用連結口調整具。
【発明の詳細な説明】
【０００１】
【発明の属する技術分野】
本発明は内蔵の一部である腸の疾患により、止むを得ず排泄口（ストーマ）を腹部に設けた人が、排泄物を受け入れるパウチ（収容袋）の保護材の中央部に設けられた連結口と腸からの排泄口を連結する際、排泄口の大きさや形状は個人差があることからパウチに設けられた連結孔を各人の形状、大きさに合わせて形を整える際に使用するパウチ用連結口調整具に関するものである。
【０００２】
【従来の技術】
従来、パウチ（排泄物を収容する袋）の保護材の中央部にに設けられている連結口の大きさ、形状を使用者の排泄口に合わせるための専用の裁断器具はなく、鉛筆等で線を付けておき、この線に沿って鋏、ナイフ等で裁断していた。
【０００３】
【発明が解決しようとする課題】
しかし、直径２６ｍｍ程度の口径に鋏を入れて裁断することは加なり難しく、患者でも特に高齢者にとっては極めて困難な作業であった。
又、鋏やナイフを使用した場合誤って切り過ぎたり、パウチ（袋）自体に穴を開けたりして使用不能になる恐れがあった。
本発明は下端部よりに切断窓を設けた直径２６ＭＭ程度のステンレス製のシリンダの内部に、刃を下端部に設けた切断具を上下摺動自在に設け、シリンダをパウチの連結口に挿通し、切断窓と切断具の刃の上下動によって連結口周部を裁断し、使用者のストーマに対応する連結口を形成するパウチ用連結口調整具を提供することを目的とする。
【０００４】
【課題を解決するための手段】
上記目的を達成するため本発明は、上端部に蓋受ねじ３を設け、下端部寄りに切込み２を設けたシリンダ１の上部に前記蓋受ねじ３に螺合する雌ねじ１５を設けた蓋１４を螺着し、中心軸７を上部に設け、下端部に刃６を設けた上部有底円筒状の切断具５をシリンダ１及び蓋１４の軸挿通孔１６に軸７を上にして嵌挿し、中心軸７の上端部に設けられたねじ受孔８にビス１７でバネ受１６をコイルバネ１３を介在させて固定し、前記切断具５の底部に刃調整具９を嵌着したものである。
【０００５】
【発明の実施の形態】
以下、本発明の実施の形態を図面に基いて説明する。
【０００６】
図１は本発明の分解斜視図で、図２は本発明の正面図、図３は本発明の縦断面図、図４はパウチの斜視図である。
【０００７】
符号１はステンレス製のシリンダで、下端寄りに切込み２が設けられ、上部にと上端部に蓋受ねじ３が設けられている。
【０００８】
切込み２はシリンダ１の横方向に半周に亘って設けられていて、パウチ１９の連結口２０を使用者のストーマに対応する形状にする際、切断具５の刃６の上下動によって裁断が行なわれるようになっている。
【０００９】
蓋受ねじ３はシリンダ１の上端部に設けらた雄ねじで、蓋１４の雌ねじ１５と螺合するようになっている。
【００１０】
４はシリンダ１の上部周囲に設けられた鍔部で、表面に滑り止め加工が施されているので、本発明を分解したり組み立てたりする際、この鍔部４を掴んでいることによって確実に作業ができる。
【００１１】
５は上部が有底円筒状のステンレスからなる切断具で、シリンダ１の内径と同一の外径であって上部中心に中心軸７が直立状に設けられ、この中心軸７の上部中心にねじ受孔８が設けられ、中腹部にベアリング状の鋼球５ａが内部から板ばねで支えられた状態で設けられ、切断具の上下摺動を円滑にしている。
この切断具５の開放状の下端の縁部の半周部分に刃６が設けられていて、この刃６によってパウチ１９の連結口２０の縁が裁断されるようになっている。
【００１２】
刃６は半円状に切り込んだ形状になっていることによってパウチ１９の連結口２０の縁は効果的に裁断できるので、老齢者でも簡単に連結口２０の口径を調整することができる。
【００１３】
本発明を組み立てる場合、上部にハンドル１１を介して蓋１４を嵌着したシリンダ１内に切断具５を装着すると、中心軸７の上部が蓋１４の上方に突出し、突出した部位にコイルバネ１３を介してバネ受１８が上端部のねじ受孔８を利用したビス１７でバネ受１８と一体に固定されるようになっている。
【００１４】
９は切断具５の底部から嵌着される刃調整具で、下端部の調整板９ａは偏芯させてあるので、嵌着された刃調整具９を回動させることによって連結口２０の切断巾が調整されるようになっており、回動に使用する用具は特定のものではなく１０円、１００円等の硬貨でも回動可能である。
【００１５】
ハンドル１１はシリンダ１に蓋１４を螺合（蓋受ねじ３と雌ねじ１５）させる際、孔１２を介してシリンダ１と蓋１４の間に挟持されるように取り付けられ、このハンドル１１を利用することによって手軽に裁断作業ができる。
ハンドル１１は裁断作業をする際ある程度の力がかかるので、この力に耐えられる程度のものが望ましい。
【００１６】
コイルバネ１３は蓋１４とバネ受１８の間に設けられていて、例えばハンドル１１の下側に人差指と中指を引っ掛け、親指でバネ受１８を押すと切断具５が下降して裁断作業が行なわれ、親指を離すと切断具５は元の位置に復帰するようになっている。。
【００１７】
鍔部４、蓋１４、バネ受１８の側面には滑り止め加工が施されていて、工具を使用しなくても組み立て、分解が容易にできるようになっている。
【００１８】
上記のように構成された本発明を実際に使用する場合は次のようになる。
予め刃調整具９を回動させて切断巾を設定した後、シリンダ１の下部をパウチ１９の連結口２０に挿入し、切込み２の位置に合わせる。
切込み２の位置と同位置に刃調整具９の調整板９ａがあり、この調整板９ａに切断する連結口２０の縁を合わせた状態にし、ハンドル１１を固定させた状態でバネ受１８を下方へ押し下げると連結口２０の縁の所定部分が裁断され、使用するストーマの形に合致する連結口が形成される。
【００１９】
【発明の効果】
上記のように構成された本発明には次のような効果がある。
ａ．刃調整具を調整するだけでパウチの連結口をストーマに合った形に裁断でき、操作も簡単で繰り返し使用できる。
ｂ．片手で楽に持てる程度でしかも軽量にできているので携帯に便利で、何時どこでも他人の手を借りずに使用できる。
ｃ．刃調整具を調整することによってどのような形状、大きさのストーマにも適用できる形の連結口に裁断できる。
ｄ．連結口をストーマに合わせて鋏等で裁断する作業は手間がかかるばかりでなく不必要な箇所を切ったり傷つけたりしたが、本発明によってそのような憂いは全く無くなった。
ｅ．ステンレス製（熱処理済み）であるので半永久的に使用でき、家庭には勿論病院、施設等に於て備品としての利用価値が高い。
【図面の簡単な説明】
【図１】本発明の分解斜視図である。
【図２】本発明の正面図である。
【図３】本発明の縦断面図である。
【図４】パウチの斜視図である。
【符号の説明】
１  シリンダ
２  切込み
３  蓋受ねじ
４  鍔部
５  切断具
６  刃
７  中心軸
８  ねじ孔
９  刃調整具
９ａ  調整板
１０  溝
１１  ハンドル
１２  孔
１３  コイルバネ
１４  蓋
１５  雌ねじ
１６  軸挿通孔
１７  ビス
１８  バネ受
１９  パウチ
２０  連結口
２１  保護材
【図１】
2004209012.tif 000003
【図２】
2004209012.tif 000004
【図３】
2004209012.tif 000005
【図４】
2004209012.tif 000006